【手続補正書】
【提出日】平成21年3月24日(2009.3.24)
【手続補正１】
【補正対象書類名】明細書
【補正対象項目名】全文
【補正方法】変更
【補正の内容】
【書類名】  明細書
【発明の名称】  炊飯器用包装装置
【特許請求の範囲】
【請求項１】  直方体で、かつ上部開口部の４辺にそれぞれフラップを持つダンボールよりなる外装箱と、前記外装箱内において炊飯器下方部を保持する１枚のダンボールでなる底緩衝材とを有し、前記底緩衝材上方には前記炊飯器外周を保持する穴形状の収納部が形成されており、前記収納部内周には前記炊飯器を保持する内周フラップが形成されており、前記内周フラップ部はある一定の水平方向を維持した後、下方に折り曲げられ、底面形状部切り欠き部に差し込める構成を有した炊飯器用包装装置。
【請求項２】  底緩衝材の内周フラップ形状の折り曲げ部は炊飯器の外周形状曲面部において、前記炊飯器の曲面アールよりも小さいアールの切り込みを入れた請求項１記載の炊飯器用包装装置。
【請求項３】  直方体で、かつ上部開口部の４辺にそれぞれフラップを持つダンボールよりなる外装箱と、前記外装箱内において炊飯器上方部を保持する１枚のダンボールでなる天緩衝材とを有し、前記天緩衝材は炊飯器外周を保持する穴形状の収納部が形成されており、前記収納部内周には前記炊飯器を保持する内周フラップが形成されており、前記内周フラップはある一定の水平方向を維持した後、上方に折り曲げられ、前記水平部を前記炊飯器の略水平部に当接する構成を有した炊飯器用包装装置。
【請求項４】  天緩衝材外周部は前後、左右ともに上方に折り曲げたフラップを有し、かつ炊飯器嵌合時において前記天緩衝材外周フラップは外装箱天内面にほぼ当接する形状であり、かつ前記天緩衝材内周部である前記炊飯器外周を保持する内周フラップ部も前記外装箱天内面にほぼ当接する形状を有した請求項３記載の炊飯器用包装装置。
【請求項５】  天緩衝材の内周フラップ形状の折り曲げ部は炊飯器の外周形状曲面部において、炊飯器の曲面アールよりも小さいアールの切り込みをいれた請求項３または４記載の炊飯器用包装装置。
【請求項６】  天緩衝材の内周フラップは前方を２重に折り曲げた構造を有した請求項３〜５のいずれか１項に記載の炊飯器用包装装置。
【請求項７】  天緩衝材の中芯の筋目方向は外装箱の長手方向に対して垂直方向に配置した請求項１、３のいずれか１項に記載の炊飯器用包装装置。
【発明の詳細な説明】
【０００１】
【発明の属する技術分野】
本発明は、例えば、炊飯器のように外形形状が丸みをおびた複雑な自由曲面で形成されているような商品の梱包において、従来の発泡スチロール製緩衝材に替わる折畳式の段ボール製の包装用緩衝材に関するものである。
【０００２】
【従来の技術】
従来、この種の包装用緩衝材としては、４図に示すように、輸送時や荷扱い時の衝撃から商品を保護するために発泡スチロール製の緩衝材が多く用いられてきた。
【０００３】
図において、３０は包装箱、３１は炊飯器等の製品、３２は発泡スチロール製の底緩衝材、３３は発泡スチロール製の天緩衝材である。この発砲スチロール製の緩衝材は、複雑な曲面を有する商品においても、商品の保持形状を自由に作成でき、また、緩衝効果が高く復元性にも優れており、高湿度環境下においても吸湿等による強度低下がなく、安定した緩衝性能を有するものである。
【０００４】
【発明が解決しようとする課題】
しかしながら、輸送中の商品保護の目的のみで使用される発泡スチロール製の緩衝材は、商品使用時には包装廃棄物として廃棄されることになる。この廃棄時には主に段ボール等の箱材と発泡スチロール製の緩衝材を分別して処分する必要が生じるため、廃棄処理作業が煩雑になる。また、環境保護の面からみると、今日の社会的な問題となっているゴミ処理施設が飽和状態に近づいている現状や、ゴミ焼却時の環境問題等を考慮すると、リサイクルのルートや工法が確立しておらず、重量の割に体積が大きくかさばる上、焼却時には環境を悪化させる可能性のある発泡スチロール製の緩衝材は上記のような多くの課題がある。
【０００５】
本発明は、上記課題を解決するもので、商品の緩衝材を包装箱と同じ段ボールで構成することによって、廃棄時に包装箱と分別する手間を省略でき、さらに、緩衝材の組み立てを接着剤や結合部材を使用せず、一枚の段ボールからなる折畳式により形成することで、廃棄時における体積を削減でき、段ボールとして従来の包装箱と同様に分別収集されることによりリサイクル性を向上させることができ、環境に優しい包装形態を実現することができる。更に緩衝材の組立を接着剤や結合部材を使用せずに各部材を折畳式により形成する事で、組立が容易になり緩衝材のコストを押え、且つ収納品を安定に緩衝保持する包装装置を提供することを目的とする。
【０００６】
【課題を解決するための手段】
上記課題を解決するために、本発明は、直方体で、かつ上部開口部の４辺にそれぞれフラップを持つダンボールよりなる外装箱と、前記外装箱内において炊飯器下方部を保持する１枚のダンボールでなる底緩衝材とを有し、前記底緩衝材上方には前記炊飯器外周を保持する穴形状の収納部が形成されており、前記収納部内周には前記炊飯器を保持する内周フラップが形成されており、前記内周フラップ部はある一定の水平方向を維持した後、下方に折り曲げられ、底面形状部切り欠き部に差し込める構成を有することにより、一枚のダンボールで底緩衝材の形成が可能になるため、組立が容易であり且つ炊飯器を安定に緩衝保持することができるのである。
【０００７】
【発明の実施の形態】
請求項１記載の発明は、直方体で、かつ上部開口部の４辺にそれぞれフラップを持つダンボールよりなる外装箱と、前記外装箱内において炊飯器下方部を保持する１枚のダンボールでなる底緩衝材とを有し、前記底緩衝材上方には前記炊飯器外周を保持する穴形状の収納部が形成されており、前記収納部内周には前記炊飯器を保持する内周フラップが形成されており、前記内周フラップ部はある一定の水平方向を維持した後、下方に折り曲げられ、底面形状部切り欠き部に差し込める構成を有することにより、一枚のダンボールで底
緩衝材の形成が可能になるため、組立が容易であり且つ炊飯器を安定に緩衝保持することができるのである。
【０００８】
請求項２記載の発明は、底緩衝材の内周フラップ形状の折り曲げ部は炊飯器の外周形状曲面部において、前記炊飯器の曲面アールよりも小さいアールの切り込みを有することにより、炊飯器を収納した際、外周アール部に沿って底緩衝材の形状の内周フラップ部が折り曲げられ効率よく緩衝保持されるとともに、折曲がったリップ部の切り込み端面が炊飯器炊飯器に直接接触することを防ぐことができ、炊飯器外観面の傷付きを防止できるのである。
【０００９】
請求項３記載の発明は、直方体で、かつ上部開口部の４辺にそれぞれフラップを持つダンボールよりなる外装箱と、前記外装箱内において炊飯器上方部を保持する１枚のダンボールでなる天緩衝材とを有し、前記天緩衝材は炊飯器外周を保持する穴形状の収納部が形成されており、前記収納部内周には前記炊飯器を保持する内周フラップが形成されており、前記内周フラップはある一定の水平方向を維持した後、上方に折り曲げられ、前記水平部を前記炊飯器の略水平部に当接する構成を有することにより、炊飯器を収納した外装箱の耐圧縮性を向上させることができるのである。
【００１０】
請求項４記載の発明は、天緩衝材外周部は前後、左右ともに上方に折り曲げたフラップを有し、かつ炊飯器嵌合時において前記天緩衝材外周フラップは外装箱天内面にほぼ当接する形状であり、かつ前記天緩衝材内周部である前記炊飯器外周を保持する内周フラップ部も前記外装箱天内面にほぼ当接する形状を有することにより、外周フラップにみでなく内周フラップをも外装箱天面に当接するため、更に耐圧縮性が向上し、包装装置が吸湿した場合でも積み上げ時の倒れが、防止できるのである。
【００１１】
請求項５記載の発明は、天緩衝材の内周フラップ形状の折り曲げ部は炊飯器の外周形状曲面部において、前記炊飯器の曲面アールよりも小さいアールの切り込みを有することにより、炊飯器を収納した際、外周アール部に沿って天緩衝材の形状の内周フラップ部が折り曲げられ効率よく緩衝保持されるとともに、折曲がった内周フラップ部の切り込み端面が炊飯器炊飯器に直接接触することを防ぐことができ、炊飯器外観面の傷付きを防止できるのである。
【００１２】
請求項６記載の発明は、天緩衝材の内周フラップは前方を２重に折り曲げた構造を有することにより、緩衝効果が向上し、外装箱の才数を小さくすることができるため輸送コスト低減が可能になるのである。
【００１３】
請求項７記載の発明は、天緩衝材の中芯の筋目方向は外装箱の長手方向に対して垂直方向に配置することにより、天緩衝材の折り曲げられたフラップ部やリップ部の中芯の筋目がより多く垂直に外装箱天内面に当接し、耐圧縮性を向上させることができるのである。
【００１４】
【実施例】
本発明の一実施例について、図１を用いて説明する。
【００１５】
図１において、本包装構成の概略図を示す。１は炊飯器等の製品、２は段ボール製の外装箱であり、この外装箱２内部には１枚の段ボールよりなる底緩衝材３が収容されており、この底緩衝材３には炊飯器１を収納する収納部が形成されている。そしてこの収納部に炊飯器１を収納し、さらに上方より天緩衝材４をセットする構成をとっている。この天緩衝材にも炊飯器１上方を保持する収納部が形成されているのである。
【００１６】
ここで底緩衝材３の具体的な構成を図２を用いて説明する。この底緩衝材３は１枚の段
ボールより、各部の切欠き、折り曲げによって底緩衝材３を形成している。この底緩衝材３には炊飯器１脚部を保持する４箇所の穴５を配設し、また炊飯器１外周部と嵌合する収納部６を設けている。この収納部６の構成方法は、まず外周に外周フラップ７を３箇所、収納部６の長手方向に沿って内周フラップ８を２箇所、さらに内周局面に沿って曲面部フラップ９を４箇所設けている。さらに内周フラップ８は先端を底緩衝材３の底面にある切欠きに嵌合している。長手方向のフラップ８を底面に嵌合させることにより、底緩衝材の組立後の形状が安定し炊飯器１のセットが容易に行うことができるとともに、底緩衝材３の本来の形状を崩すことなく包装できるために包装性能を確実に確保することができるのである。次に曲面部フラップ９には折り曲げ部に炊飯器の曲面アールよりも小さなアールの切り込み１０が入れられており、炊飯器１をセットした際、炊飯器の曲面に沿って曲面フラップ９が容易に折り曲げることができ、またこの折り曲げられた曲面フラップ９の切欠き部１０端面が曲面部フラップ９の面にて覆われるために、直接炊飯器１に切欠き部１０端面に接触することがなく、炊飯器１外観面への傷付き防止の役割を果たしているのである。さらに炊飯器１のコードリールプラグを保持するコードリール用収納部１１をも形成しており、落下によるプラグの折曲げ対策を行っている。
【００１７】
次に天緩衝材４の具体的な構成を図３を用いて説明する。天緩衝材４も底緩衝材３と同様に炊飯器１収納部１２を形成している。形成方法は外周に側面および後方に外周フラップ１３を３箇所、側面および後方に内周フラップ１４を３箇所、曲面に沿って曲面部フラップ１５を４箇所、前方フラップ１６は外周側を下方に折り曲げ、内周側は上方に折り曲げ、更に下方に折り曲げ２枚が重なるように形成されている。ここで曲面フラップ１５の折り曲げ部には底緩衝材３と同様に炊飯器１の曲面アールより小さなアールの切り込み１８が入っており、炊飯器１の曲面に沿って容易に曲面フラップ１５を折り曲げることができ、更に切り込み１８の端面による炊飯器１への傷つき対策を行うことができるのである。また各フラップの折り曲げは外周フラップ１３と内周フラップ１４の折り曲げラインに一定の距離を設け天緩衝材４の組立後にはある一定の水平部１６を確保している。この水平部１６は炊飯器１に天緩衝材４をセットした場合、炊飯器１の水平部分であるハンドル１７に当接するようになっており、更に外周フラップ１３、内周フラップ１４は折り曲げ後の高さを同一にしており、外装箱２の内面にちょうど当接する高さになっているのである。この構成をとることで、外周フラップ１３、内周フラップ１４が炊飯器１のハンドル１７と外装箱２の天面の間で支柱の役割をすることになり、外装箱２の耐圧縮性能を向上させることができるのである。
【００１８】
また炊飯器１と外装箱側面との距離は落下性能を確保するためにある一定の距離が必要であるが、本仕様の包装は前方フラップ１６を２枚重ねの構成をしているため、炊飯器１と外装箱２の前面との距離を縮小することができ、包装才数を減少することができる為に保管場所、輸送費の低減につながるのである。また天緩衝材４の中芯の筋目方向は天緩衝材４の長手方向に対して垂直方向に配設している。これは各フラップがハンドル１７と外装箱２天面の間で支柱の役割を果たしているが、中芯の筋目方向が長手方向と垂直に配設することで、より多くの中芯の筋目を外装箱２の鉛直方向にすることができ、支柱としての性能をより高く確保し、耐圧縮性を向上させるものである。
【００１９】
以上のような構成により、段ボールによって形成された緩衝材において、落下時の緩衝効果を確保し、特に段ボール緩衝材の課題となる吸湿時の圧縮強度を確保している。また、緩衝材を包装箱と同じ段ボールで構成することによって、廃棄時に包装箱と分別する手間を省略でき、さらに、緩衝材の組み立てを接着剤や結合部材を使用せず、一枚の段ボールからなる折畳式により形成することで、廃棄時における分解がしやすくなり、体積を削減できるうえ、段ボールとして従来の包装箱と同様に分別収集されることによりリサイクル性を向上させることができ、環境に優しい包装形態を実現するものである。
【００２０】
【発明の効果】
以上のように、請求項１記載の発明によれば、一枚のダンボールで底緩衝材の形成が可能になるため、組立が容易であり且つ炊飯器を安定に緩衝保持することができるのである。
【００２１】
また、請求項２記載の発明によれば、炊飯器を収納した際、外周アール部に沿って底緩衝材の形状の内周フラップ部が折り曲げられ効率よく緩衝保持されるとともに、折曲がった内周フラップ部の切り込み端面が炊飯器炊飯器に直接接触することを防ぐことができ、炊飯器外観面の傷付きを防止できるのである。
【００２２】
また、請求項３記載の発明によれば、炊飯器を収納した外装箱の耐圧縮性を向上させることができるのである。
【００２３】
また、請求項４記載の発明によれば、外周フラップにみでなく内周フラップをも外装箱天面に当接するため、更に耐圧縮性が向上し、包装装置が吸湿した場合でも積み上げ時の倒れが、防止できるのである。
【００２４】
また、請求項５記載の発明によれば、炊飯器を収納した際、外周アール部に沿って天緩衝材の形状の内周フラップ部が折り曲げられ効率よく緩衝保持されるとともに、折曲がった内周フラップ部の切り込み端面が炊飯器炊飯器に直接接触することを防ぐことができ、炊飯器外観面の傷付きを防止できるのである。
【００２５】
また、請求項６記載の発明によれば、緩衝効果が向上し、外装箱の才数を小さくすることができるため輸送コスト低減が可能になるのである。
【００２６】
また、請求項７記載の発明によれば、天緩衝材の折り曲げられたフラップ部の中芯の筋目がより多く垂直に外装箱天内面に当接し、耐圧縮性を向上させることができるのである。
【図面の簡単な説明】
【図１】
本発明の一実施例における包装用緩衝材の構成図
【図２】
同底緩衝材の詳細図
【図３】
同天緩衝材の詳細図
【図４】
従来の包装用緩衝材の構成図
【符号の説明】
１  炊飯器        
２  外装箱        
３  底緩衝材      
４  天緩衝材      
６、１２  収納部        
８、１４  内周フラップ  
９、１５  内周フラップ（曲面部フラップ）  
７、１３  外周フラップ  
１６  外周フラップ（前方フラップ）  
１０、１８  切り込み